(57)【要約】【課題】  きらめきを放つ粒状の物質と蓄光材料または蛍光材料を併用することで、明暗にかか  わらず美観を呈する装身具を提供する。【解決手段】  土台の表面の一部に蓄光材料または蛍光材料を塗布し、塗料の上から光透過性を有  する粒状の物質で覆う。残りの土台表面は光反射性を有する粒状の物質で覆う。【選択図】図２
2012061034.tif 000002
【特許請求の範囲】
【請求項１】
アクリル、金属、プラスチック、または木材から形成された土台に相当する基盤層と、
該基盤層の表面の一部に蓄光材料、または蛍光材料を塗布して成る中間層と、該中間層
の上に光透過性を有する粒状の物質から成る中上間層と、前記基盤層の表面に光反射性
を有する粒状の物質から成る上層を備えた構造を特徴とするブローチやハットピンなど
の装身具または携帯ストラップやキーホルダーなどの装飾品。
【請求項２】
請求項１の基盤層の側面に、蓄光材料、または蛍光材料を塗布した層を備えた構造
を特徴とする請求項１の装身具または装飾品。
【請求項３】
請求項１の基盤層の側面の外周に合致し、外表面に蓄光材料、または蛍光材料が塗布
されている枠、もしくは内部に蓄光材料、または蛍光材料を含む枠を備えた構造を
特徴とする請求項１の装身具または装飾品。
【請求項４】
中上間層を構成する粒状の物質は、光透過性を有するクリスタルガラスストーン、
光透過性を有するガラスストーン、または光透過性を有するアクリルストーンの
いずれかを使用し、且つ上層を構成する粒状の物質は、光反射性を有するクリスタル
ガラスストーン、光反射性を有するガラスストーン、または光反射性を有するアクリ
ルストーンのいずれかを使用した、請求項１〜請求項３のいずれかの装身具または
装飾品。
【発明の詳細な説明】
【技術分野】
【０００１】
本発明は、明所できらめきを放つ粒状の物質と、暗所で発光する蓄光材料、または
暗所で且つ紫外線の下で発光する蛍光材料のいずれかを同時に使用することにより、
明暗にかかわらず美観を呈する装身具または装飾品に関するものである。
【背景技術】
【０００２】
きらめきを放つ粒状の物質は、キーホルダーやアクセサリー等に装着され、
明所では、光反射により美観を呈しているが、暗所では発光しないため可視でき
ない。
【先行技術文献】
【特許文献】
【０００３】
【特許文献１】実開昭５７−００９６００号  公報
【発明の概要】
【発明が解決しようとする課題】
【０００４】
解決しようとする課題は、従来製品のきらめきを放つ粒状の物質から成る
装身具の意匠を損ねることなく、暗所、または暗所で且つ紫外線の下で、発光する
ことにより装身具の意匠を可視可能にする点である。
【課題を解決するための手段】
【０００５】
以上の技術課題を解決する本発明は、「アクリル、金属、プラスチック、または
木材から形成された土台に相当する基盤層と、該基盤層の表面の一部に蓄光材料、
または蛍光材料を塗布して成る中間層と、該中間層の上に光透過性を有する粒状
の物質から成る中上間層と、前記基盤層の表面に光反射性を有する粒状の物質から
成る上層」から成っている。
【０００６】
即ち、本発明の装身具は、従来製品と同じく、装身具表面を中上間層と上層の
粒状の物質で覆うことにより、明所において、意匠が与える印象を損なうこと
なく、暗所、または暗所且つ紫外線の下において、中間層の蓄光材料、または蛍光
材料が放った光は、中上間層の光透過性を有する粒状の物質を通過し、人の目に
映る。
【発明の効果】
【０００７】
本発明品を携帯電話や鞄の装飾品として使用する場合は、蓄光材料による発光を
頼りに、暗所でも容易に携帯電話や鞄の場所を特定することが可能である。
本発明品を身につけ、紫外線ライトを使用するイベントに参加すると、蛍光材料
が放つ光により、視覚的に目立つことが可能である。
【図面の簡単な説明】
【０００８】
【図１】本発明を実施した装身具の斜視図
【図２】装身具を構成する層ごとに分解した図
【図３】光透過性ストーンの拡大図および光の経路
【図４】裏面に箔の付いた光反射性ストーンの拡大図および光の経路
【図５】図１  Ａ−Ａ方向で切断した線断面図
【図６】本発明の暗所における見え方（黒部分が発光箇所）
【図７】実施例１を実施した装身具の斜視図
【図８】実施例１の暗所における見え方（黒部分が発光箇所）
【図９】実施例２を構成する層と枠に分解した図
【図１０】実施例２の暗所における見え方（黒部分が発光箇所）
【図１１】実施例３の基盤層に着色を施した図
【図１２】実施例３の着色剤をクリア塗料で覆った装身具を図７  Ｂ−Ｂ方向で          切断した線断面図
【図１３】実施例３の基盤層を着色する前の光反射性ストーンと基盤層の色の比較図
【図１４】実施例３の基盤層を着色した後の光反射性ストーンと基盤層の色の比較図
【図１５】実施例４の側面層に光透過性ストーンを接着した図
【図１６】実施例５の装身具本体および側面層に塗布するクリア塗料
【図１７】実施例６の装身具を図７  Ｂ−Ｂ方向で切断した線断面図
【図１８】実施例６の装身具を図７  Ｂ−Ｂ方向で切断した線断面図
【図１９】実施例６の上面図
【図２０】実施例７の穴を形成した基盤層および他の層を、層ごとに分解した図
【図２１】実施例７の突起部を形成した基盤層および他の層を、層ごとに分解した図
【図２２】実施例７と実施例８の装身具の側面図
【図２３】実施例７と実施例８に金具を付けた図
【図２４】実施例８の穴を形成した基盤層および他の層を、層ごとに分解した図
【図２５】実施例８の突起部を形成した基盤層および他の層を、層ごとに分解した図
【図２６】実施例９の外枠に穴を形成した図
【図２７】実施例９の外枠に突起部を形成した図
【発明を実施するための形態】
【０００９】
以下の説明では、光透過性を有する粒状の物質を光透過性ストーン、光反射性を有
する粒状の物質を光反射性ストーンと称する。
以下の説明では、蓄光材料をクリア塗料に混ぜた塗料を蓄光塗料と称する。
蓄光材料と蛍光材料は同じ取り扱いが出来るため、蓄光材料についてのみ説明する。
本発明の実施形態について、図１・図２・図３・図４・図５・図６で説明する。
図１は全体図、図２は図１を層ごとに分解した図である。
本発明は、図２に示すように、アクリル、金属、プラスチック、又は木材から形成
された土台に相当する基盤層１と、該基盤層の表面の一部に蓄光塗料（斜線部）を
塗布して成る中間層２と、該中間層の上に光透過性ストーンから成る中上間層３と、
前記基盤層の上に光反射性ストーンから成る上層４を備えた構造を特徴とする。
【００１０】
基盤層として、アクリルを使用する場合は、厚さ２ｍｍ〜５ｍｍほどのアクリル板
を糸鋸、またはレーザ等を使用してカットする、またはアクリルを射出成形する。
中間層を形成するには、基盤層に溝を形成し、溝に蓄光塗料を流し込み、基盤層表面
を平坦にする方法と、基盤層に蓄光塗料を塗布する方法がある。
以下の説明はすべて、溝に蓄光塗料を流し込む方法であるが、基盤層に蓄光塗料を
塗布する方法は、溝を形成する工程を除けば、同じ手順で実施できる。
中間層を形成するために、深さ・幅ともに０．５ｍｍほどの溝をアクリルカッター、
レーザ等で形成する、または射出成形する。
該溝に蓄光塗料を筆、またはスポイト等を使用して流し込み、基盤層の表面を平ら
にする。
蓄光塗料を乾燥させる。
【００１１】
基盤層として、金属を使用する場合は、型を起こして鋳造する、または切削し
成形する。
中間層を形成するために、鋳造の型に溝部分を盛り込む、または金属表面を切削
する。
該溝に蓄光塗料を筆、またはスポイト等を使用して流し込み、基盤層の表面を平ら
にする。
蓄光塗料を乾燥させる。
【００１２】
基盤層として、プラスチックを使用する場合は、射出成形する、または切削し
成形する。
中間層を形成するために、射出成形の型に溝部分を盛り込む、またはプラスチック
表面を切削する。
該溝に蓄光塗料を筆、またはスポイト等を使用して流し込み、基盤層の表面を平ら
にする。
蓄光塗料を乾燥させる。
【００１３】
基盤層として、木材を使用する場合は、木材を粉砕してチップ状にし、凝固剤を
添加し、型にはめて固形化させ成形する、または切削して成形する。
中間層を形成するために、型に溝部分を盛り込む、または木材表面を切削する。
該溝に蓄光塗料を筆、またはスポイト等を使用して流し込み、基盤層の表面を平ら
にする。
蓄光塗料を乾燥させる。
【００１４】
中上間層を形成するために、図３に示すような裏面の箔がない光透過性ストーンを、
図５の８のように中間層２の上に、透明性を有する接着剤を使用して固定する。
上層を形成するために、図４に示すような裏面に箔７の付いた光反射性ストーンを、
図５の６のように基盤層１の表面に、接着剤を使用して固定する。
最後に、基盤層の裏側に、図５の９のようなブローチピン、ハットピン等いずれか
の金具を装着する。
【００１５】
この構造を有することで、明所では装身具上部より入射した光が、上層４を構成
する光反射性ストーンの裏側の箔で反射し、きらめきを放つ。
暗所では、中間層２の蓄光塗料（斜線部）が放った光は、中上間層３を構成する光透
過性ストーンを通過し、図６のように人間の目に映る。
【実施例１】
【００１６】
本発明の実施例１について、図７、図８で説明する。
基盤層、中間層、中上間層、上層を作成後、基盤層の側面に蓄光塗料（斜線部）
を筆等を使用して塗布し、側面層５を設ける。
基盤層と、中間層と、中上間層と、上層と、側面層を備えた構造を特徴とする。
基盤層の裏側に、図５の９のようなブローチピン、ハットピン等いずれかの金具
を装着する。
【００１７】
この構造を有することで、明所では装身具上部より入射した光が、上層４を構成
する光反射性ストーンの裏側の箔で反射し、きらめきを放つ。
暗所では、中間層２の蓄光塗料（斜線部）が放った光は、中上間層３を構成する
光透過性ストーンを通過し、側面層５の蓄光塗料（斜線部）の放った光と共に、
図８のように人間の目に映る。
【実施例２】
【００１８】
本発明の実施例２について、図９、図１０で説明する。
基盤層１、中間層２、中上間層３、上層４を作成後、基盤層の外周に外枠１０を
設ける。
基盤層と、中間層と、中上間層と、上層と、外枠を備えた構造を特徴とする。
外枠は、該基盤層の側面の外周に合致し、外表面に蓄光塗料（斜線部）が塗布
されている、または外枠の内部に蓄光材料を含んでいる。
外枠の裏側には、図５の９のようなブローチピン、ハットピン等いずれかの金具
を装着する。
【００１９】
この構造を有することで、明所では装身具上部より入射した光が、上層４を構成
する光反射性ストーンの裏側の箔で反射し、きらめきを放つ。
暗所では、中間層２の蓄光塗料（斜線部）が放った光は、中上間層３を構成する光透
過性ストーンを通過し、外枠１０外表面の蓄光塗料（斜線部）、または外枠内部の
蓄光剤いずれかの放った光と共に、図１０のように人間の目に映る。
【実施例３】
【００２０】
本発明の実施例３について、図１１・図１２・図１３・図１４で説明する。
図１１に示すように、基盤層の表面に着色１１を施す。中間層用の溝が着色剤で埋
まる場合は、着色剤乾燥後、溝部分の着色剤を除去する。中間層２を形成する。
着色剤の膜がもろい場合は、図１２に示すように、着色剤１１の剥離を防止する
ため、着色剤をクリア塗料１２で覆う。クリア塗料乾燥後、中上間層３と上層４と
側面層５を形成する。
【００２１】
この構造を有することで、上面から見たとき、着色前の図１３の状態から、着色
後の図１４の状態になり、明所において、上層を形成する光反射性ストーン６と
基盤層１の色の境目を目立たなくすることで意匠の色彩を明瞭にする。
【実施例４】
【００２２】
本発明の実施例４について、図１５で説明する。
図１５に示すように、側面層の表面に、透明性を有する接着剤で、光透過性ス
トーン８を接着する。
この構造を有することで、暗所において、側面層が発光する光は、光透過性ス
トーンを通過するとストーン内部で乱反射し、視覚的に側面層を強調する意匠に
なる。
【実施例５】
【００２３】
本発明の実施例５について、図１６で説明する。
図１６に示すように、側面層の表面に、クリア塗料１２を塗布する。
クリア塗料は、蓄光塗料に比べ、不純物が少ないため膜に強度がある。
この構造を有することで、側面層の膜強度を向上させる。
【実施例６】
【００２４】
本発明の実施例６について、図１７・図１８・図１９で説明する。
基盤層の端面を垂直に成形する代わりに、基盤層の端面を図１７、図１８のように
角度や丸みを付けて成形する。
この構造を有することで、暗所で、上面から装身具を見た場合、図１９に示す
ように、蓄光塗料を塗布している側面層５の面積（斜線部）が増加し、
視覚的に側面層を強調する意匠になる。
【実施例７】
【００２５】
本発明の実施例７について、図２０・図２１・図２２・図２３で説明する。
図２０に示すように、基盤層１に穴１３を形成する、または図２１に示すように、
基盤層１に金具が通せる突起部１４を形成する。表面と裏面おのおのに中間
層２と中上間層３と上層４を形成する。さらに側面層５を形成する。
【００２６】
この構造を有することで、明所と暗所で、図２２に示すように装身具の両面の
意匠を提供可能となり、図２３に示すように該穴または突起部に金具を通し、
他の金具１６または紐等との接続を可能になり、携帯ストラップやキーホルダー
として使用できる。
【実施例８】
【００２７】
本発明の実施例８について、図２２・図２３・図２４・図２５で説明する。
図２４に示すように、基盤層１に穴１３を形成する、または図２５に示すように、
基盤層１に金具が通せる突起部１４を形成する。表面に中間層２と中上間層３と
上層４と側面層５を形成する。
意匠により、蓄光塗料を突起部表面に塗布する場合がある。
意匠により、上層４を突起部の表面に形成する場合がある。
図２４・図２５に示すように、裏面に光反射性ストーンから成る裏面層１５を
形成する。意匠により、裏面層１５を突起部の裏面に形成する場合がある。
【００２８】
この構造を有することで、明所で、図２２に示すように装身具の両面の意匠
を提供可能となり、図２３に示すように穴または突起部に金具を通し、他の
金具１６、または紐等との接続が可能になり、携帯ストラップやキーホルダー
として使用できる。
【実施例９】
【００２９】
本発明の実施例９について、図２６・図２７で説明する。
実施例２の外枠を加工して、図２６に示すような穴１７を形成する、または
図２７に示すような、金具が通せる突起部１８を形成する。
意匠により、外枠の蓄光塗料を突起部表面に塗布する場合がある。
この構造を有することで、穴または突起部に金具を通し、他の金具１６、
または紐等との接続が可能になり、携帯ストラップやキーホルダーとして使用
できる。
【実施例１０】
【００３０】
本発明の実施例１０は、実施例３で示した基盤層の着色と実施例４で示した側面
層の表面に光透過性ストーンを接着することを同時に行う。
この構造を有することで、明所において、意匠の色彩を明瞭に見せつつ、暗所に
おいて、側面層を強調することが可能となる。
【実施例１１】
【００３１】
本発明の実施例１１は、実施例３で示した基盤層の着色と実施例５で示した
側面層の表面にクリア塗料を塗布することを同時に行う。
この構造を有することで、明所において、意匠の色彩を明瞭に見せつつ、側面層
の膜強度を向上させる。
【実施例１２】
【００３２】
本発明の実施例１２は、実施例３で示した基盤層の着色と実施例６で示した
側面層の断面加工を図１７・図１８のように加工することを同時に行う。
この構造を有することで、明所において、意匠の色彩を明瞭に見せつつ、暗所に
おいて、上面から見たときの側面層を強調することが可能となる。
【実施例１３】
【００３３】
本発明の実施例１３は、実施例３で示した基盤層の着色と実施例７で示した基盤
層に穴を形成し、両面に層を形成することを同時に行う。
この構造を有することで、明所において、意匠の色彩を明瞭に見せつつ、装身具
の両面の意匠を提供可能となり、穴または突起部に金具を通し、他の金具、または
紐等との接続も可能になり、携帯ストラップやキーホルダーとして使用できる。
【実施例１４】
【００３４】
本発明の実施例１４は、実施例３で示した基盤層の着色と実施例８で示した基盤
層に穴を形成し、両面に層を形成することを同時に行う。
この構造を有することで、明所において、意匠の色彩を明瞭に見せつつ、装身具
の両面の意匠を提供可能となり、穴または突起部に金具を通し、他の金具、または
紐等との接続も可能になり、携帯ストラップやキーホルダーとして使用できる。
【実施例１５】
【００３５】
本発明の実施例１５は、実施例３で示した基盤層の着色と実施例９で示した
外枠に穴を形成することを同時に行う。
この構造を有することで、明所において、意匠の色彩を明瞭に見せつつ、穴
または突起部に金具を通し、他の金具、または紐等との接続も可能になり、
携帯ストラップやキーホルダーとして使用できる。
【符号の説明】
【００３６】
１  基盤層
２  中間層
３  中上間層
４  上層
５  側面層
６  光反射性ストーン
７  光反射性ストーンの裏側の箔
８  光透過性ストーン
９  ブローチ金具
１０  外枠
１１  着色剤
１２  クリア塗料
１３  基盤層の穴
１４  基盤層の突起部
１５  裏面層
１６  他の金具
１７  外枠の穴
１８  外枠の突起部
【図１】
2012061034.tif 000003
【図２】
2012061034.tif 000004
【図３】
2012061034.tif 000005
【図４】
2012061034.tif 000006
【図５】
2012061034.tif 000007
【図６】
2012061034.tif 000008
【図７】
2012061034.tif 000009
【図８】
2012061034.tif 000010
【図９】
2012061034.tif 000011
【図１０】
2012061034.tif 000012
【図１１】
2012061034.tif 000013
【図１２】
2012061034.tif 000014
【図１３】
2012061034.tif 000015
【図１４】
2012061034.tif 000016
【図１５】
2012061034.tif 000017
【図１６】
2012061034.tif 000018
【図１７】
2012061034.tif 000019
【図１８】
2012061034.tif 000020
【図１９】
2012061034.tif 000021
【図２０】
2012061034.tif 000022
【図２１】
2012061034.tif 000023
【図２２】
2012061034.tif 000024
【図２３】
2012061034.tif 000025
【図２４】
2012061034.tif 000026
【図２５】
2012061034.tif 000027
【図２６】
2012061034.tif 000028
【図２７】
2012061034.tif 000029